(57)【特許請求の範囲】
【請求項１】
薬剤が薬剤収容部に収容されて小便器の壁面に取付けられる容器を有し、容器背面を小便器の壁面側に配置し、前記容器の背面側に、洗浄水が容器内に供給される流入口と、前記洗浄水に前記薬剤を分散及び／又は溶解させた薬液を流出させる薬液流出口を設けて、前記薬液を前記小便器の壁面に流下させる小便器用薬液供給装置において、前記容器内に貯留される所定の貯留量を越えたとき前記薬液を溢出する排水口を前記容器背面に設け、前記排水口から溢出される前記薬液を前記容器背面の両側面側に傾斜流下させる傾斜排出路が設けられ、前記傾斜排出路を傾斜流下する前記薬液を前記傾斜排出路から前記壁面に流下させ、
前記薬剤収容部の左右最外側に内壁を設け、前記内壁と前記容器の側面外壁との間に側部室が形成され、前記側部室に壁面排出口を形成して前記傾斜排出路と連通させ、前記側部室に貯留した洗浄水を前記傾斜排出路に流出させることを特徴とする小便器用薬液供給装置。
【請求項２】
前記壁面排出口と対向する前記傾斜排出路の路面に側部排出口を開口し、前記側部室から前記壁面排出口を介して流出する洗浄水を前記側部排出口を通して流下させる請求項１に記載の小便器用薬液供給装置。
【請求項３】
前記傾斜排出路は、前記小便器の壁面側に前記傾斜排出路の路面に沿って排出壁が設けられる請求項１又は２に記載の小便器用薬液供給装置。
【請求項４】
仕切板を介して複数の前記薬剤収容部が設けられる請求項１、２又は３に記載の小便器用薬液供給装置。
【請求項５】
前記容器を覆うカバーが前記小便器の開放側に設けられ、前記容器を前記小便器に設置したまま前記カバーが開閉自在に設けられる請求項１〜４のいずれかに記載の小便器用薬液供給装置。
【請求項６】
前記容器の側面に弾性片が設けられ、前記弾性片のカバー側に傾斜面を有する係合突起が形成され、前記カバーの内面に前記係合突起に係合するカバー突部が形成され、前記カバーの閉鎖状態で前記カバー突部が前記係合突起に係合し、前記カバーの側面における前記弾性片上に嵌合孔が設けられ、前記嵌合孔に嵌合部材を押入して前記カバーの外側から前記弾性片を内方に押したとき、前記カバー突部と前記係合突起の係合が外れ、前記カバーが開放状態となり得る前記容器の内部が露出する請求項５に記載の小便器用薬液供給装置。
【請求項７】
前記薬液供給装置を前記小便器の取付部に取着する線材から形成される線状取付具を有し、前記線状取付具は、前記薬液供給装置を抱持する係合枠線部と、前記係合枠線部の上部係合線から連続して上方に突出する首線部と、前記首線部の上端に形成されたループ線部から構成され、前記ループ線部を前記小便器の前記取付部に取着する請求項１〜６のいずれかに記載の小便器用薬液供給装置。
【請求項８】
前記取付部に洗浄水供給口が設けられ、前記洗浄水供給口からの前記洗浄水を流入させる位置に前記流入口が２つ以上設けられる請求項７に記載の小便器用薬液供給装置。
【請求項９】
前記薬液流出口の周囲に前記薬液を前記小便器の壁面に導く導出板と導出壁が設けられ、前記導出板と前記導出壁の左右に接触板が前記小便器の壁面の方向に形成される請求項１〜８のいずれかに記載の小便器用薬液供給装置。
【発明の詳細な説明】
【技術分野】
【０００１】
本発明は、小便器に取付ける小便器用薬液供給装置（以下、単に「薬液供給装置」とも称する）に関し、更に詳細には、薬剤が収容されて小便器の壁面に取付けられる容器を有し、容器背面を小便器の壁面側に配置し、前記容器の背面側に、洗浄水が容器内に供給される流入口と、前記洗浄水に前記薬剤を分散及び／又は溶解させた薬液を流出させる薬液流出口を設けて、前記薬液を前記小便器の壁面に流下させる小便器用薬液供給装置に関する。
【背景技術】
【０００２】
洗浄剤や芳香剤を充填した容器を小便器の壁面に取付け、小便器の上方から供給される洗浄水に洗浄剤や芳香剤を溶かし、前記壁面を流下させる男子水洗便器用洗浄芳香器が実公平３−４８２９０号公報（特許文献１）や実公平４−４２３７２号公報（特許文献２）に記載されている。しかしながら、特許文献１、２に記載される男子水洗便器用洗浄芳香器では、供給される洗浄水の一部をスポンジに接触させて吸収し、洗浄水を取り込むものであった。即ち、洗浄水を効率的に流入させることができず、更に、取付けられた男子水洗便器用洗浄芳香器は、障害物となり、上方から供給される洗浄水の勢いが強い場合、小便器の開放面の方向に洗浄水を弾き、使用者や小便器周辺を水で濡らす場合があった。
【０００３】
特許第３８０１９３０号公報（特許文献３）には、吸盤で小便器の壁面に水洗トイレ用供給装置が取付けられ、洗浄水の流入口を有し、水洗時に洗浄水に薬剤を溶解させて流下させる水洗トイレ用薬液供給装置が記載されている。特許第４４７６０２７号公報（特許文献４）には、取付板が両面テープで小便器の壁面に貼り付けられ、小便器用の薬液供給装置のフックを取付板に取付け、水洗時に前記薬液供給装置の流入口に洗浄水が供給され、内部の薬剤を溶解させて流下させる小便器用薬剤供給装置が記載されている。
【０００４】
特開２０１０−７０９６５号公報（特許文献５）及び特開２０１０−７０９６６号公報（特許文献６）には、吸盤で小便器の壁面に小便器用薬液供給装置が取付けられ、洗浄水の流入口を有し、水洗時に洗浄水に薬剤を溶解させて流下させる小便器用薬液供給装置が記載されている。特許文献３〜６に記載される水洗トイレ用薬液供給装置や小便器用薬液供給装置では、前記流入口から流入した洗浄水が所定量を越えると、装置の上部から洗浄水を溢流させる排出口（溢水口等と称される）が設けられている。
【０００５】
図２０は、特許文献５、６に記載される従来の小便器用薬液供給装置１０１の構成概略図である。容器本体１０２には、吊り手の中央に設けられた吸盤１２２により小便器の壁面に取付けられ、前記容器本体１０２の上部には、取水支持部１０４を有する取水口１２３が開設されている。前記取水口から洗浄水を取り込み、薬剤が溶解した薬液を生成して排水口１２４から排水する。また、３個の前記排水口１２４の中央に排水支持部１０７を形成し、両側の前記排水口１２４に案内部１７１を形成することが記載されている。更に、洗浄水を取り込みすぎた場合にオーバーフローさせる溢水口１２６が設けられている。
【先行技術文献】
【特許文献】
【０００６】
【特許文献１】実公平３−４８２９０号公報
【特許文献２】実公平４−４２３７２号公報
【特許文献３】特許第３８０１９３０号公報
【特許文献４】特許第４４７６０２７号公報
【特許文献５】特開２０１０−７０９６５号公報
【特許文献６】特開２０１０−７０９６６号公報
【発明の概要】
【発明が解決しようとする課題】
【０００７】
図２０に示した特許文献５、６に記載される従来の小便器用薬液供給装置１０１では、洗浄水を取り込みすぎた場合にオーバーフローさせる溢水口１２６が壁面から離れており、小便器の壁面を好適に流下させることが困難である。更に、容器本体１０２に流入してオーバーフローした洗浄水は、薬剤が溶解した薬液であり、この薬液を小便器の壁面に流下させないことは、薬剤を非効率に用いていることになる。また、溢水口１２６から排出される薬液と排水口１２４から排水する薬液とは、薬剤の溶解量や流量が大きく異なり、図２０に示した構造では、前記溢水口１２６から排出される薬液が排水支持部１０７の上に流下し、一部が混合していた。これらが混合した場合、所望の流量で所望の溶解量を有する薬液を小便器の壁面に流下させることが困難であった。
同様に、特許文献３、４においても、オーバーフローした洗浄水は、上部長口１３（特許文献３の図２に記載される）や溢れ口１５（特許文献４の図２に記載される）から排出されており、特許文献５、６に記載される従来の小便器用薬液供給装置１０１と同様の課題を有していた。
【０００８】
従って、本発明の目的は、上述の課題を解決するものであり、洗浄水を流入口から取り込み、薬剤を分散及び／又は溶解させ、小便器用薬液供給装置の下部から流出する薬液とオーバーフローした薬液とを別々に小便器の壁面に流下させ、薬液をより効率的に使用することができる小便器用薬液供給装置を提供することを第１の目的とする。即ち、オーバーフロー薬液は小便器内の洗浄水が流れる箇所の全面洗浄を目的とし、小便器用薬液供給装置の下部から流出する薬液（薬液流出口から流出する薬液）は小便受部に流入し、尿石発生を防止することを目的とする。また、水洗時に洗浄水が小便器の開放側に跳ねることが無く、洗浄水を流入口から取り込み、薬剤を分散及び／又は溶解させて薬液を生成する小便器用薬液供給装置を提供することを第２の目的とする。
【課題を解決するための手段】
【０００９】
本発明は、上記課題を解決するために発明されたものであり、本発明の第１の形態は、薬剤が収容されて小便器の壁面に取付けられる容器を有し、容器背面を小便器の壁面側に配置し、前記容器の背面側に、洗浄水が容器内に供給される流入口と、前記洗浄水に前記薬剤を分散及び／又は溶解させた薬液を流出させる薬液流出口を設けて、前記薬液を前記小便器の壁面に流下させる小便器用薬液供給装置において、前記容器内に貯留される所定の貯留量を越えたとき前記薬液を溢出する排水口を前記容器背面に設け、前記排水口から溢出される前記薬液を前記容器背面の両側面側に傾斜流下させる傾斜排出路が設けられ、前記傾斜排出路を傾斜流下する前記薬液を前記傾斜排出路の終端及び／又は途中から前記壁面に流下させる小便器用薬液供給装置である。
【００１０】
本発明の第２の形態は、第１の形態において、前記傾斜排出路の路面は、前記排出口の位置から前記両側面側に直線状及び／又は湾曲状に傾斜して設けられる小便器用薬液供給装置である。
【００１１】
本発明の第３の形態は、第１又は第２の形態において、前記傾斜排出路が、前記小便器の壁面側に前記傾斜排出路の路面に沿って排出壁が設けられる小便器用薬液供給装置である。
【００１２】
本発明の第４の形態は、第１、第２又は第３の形態において、前記容器の内部には仕切板が設けられ、前記仕切板を介して複数の薬剤収容部が設けられる小便器用薬液供給装置である。
【００１３】
本発明の第５の形態は、第４の形態において、２つの前記薬剤収容部の左右外側に２つの内壁を設け、前記内壁と前記容器の側面外壁との間に側部室が形成され、前記側部室の壁面排出口を形成して前記傾斜排出路と連通させ、前記側部室に貯留した洗浄水を前記傾斜排出路に流出させる小便器用薬液供給装置である。
【００１４】
本発明の第６の形態は、第５の形態において、前記壁面排出口と対向する前記傾斜排出路の路面に側部排出口を開口し、前記側部室から前記壁面排出口を介して流出する洗浄水を前記側部排出口を通して流下させる小便器用薬液供給装置である。
【００１５】
本発明の第７の形態は、第１〜第６のいずれかの形態において、前記容器の覆うカバーが前記小便器の開放側に設けられ、前記容器を前記小便器に設置したまま前記カバーが開閉自在に設けられる小便器用薬液供給装置である。
【００１６】
本発明の第８の形態は、第７の形態において、前記容器の側面に弾性片が設けられ、前記弾性片のカバー側に傾斜面を有する係合突起が形成され、前記カバーの内面に前記係合突起に係合するカバー突部が形成され、前記カバーの閉鎖状態で前記カバー突部が前記係合突起に係合し、前記カバーの側面における前記弾性片上に嵌合孔が設けられ、前記嵌合孔に嵌合部材を押入して前記カバーの外側から前記弾性片を内方に押したとき、前記カバー突部と前記係合突起の係合が外れ、前記カバーの自重により前記カバーが開放状態となり前記容器の内部が露出する小便器用薬液供給装置である。
【００１７】
本発明の第９の形態は、第１〜第８のいずれかの形態において、前記薬液供給装置を前記小便器の取付部に取着する線材から形成される線状取付具を有し、前記線状取付具は、前記薬液供給装置を抱持する係合枠線部と、前記係合枠線部の上部係合線から連続して上方に突出する首線部と、前記首線部の上端に形成されたループ線部から構成され、前記ループ線部を前記小便器の前記取付部に取着する小便器用薬液供給装置である。
【００１８】
本発明の第１０の形態は、第９の形態において、前記上部係合線が係合する前記容器の取付具配設部が前記容器背面に傾斜して設けられ、前記取付具配設部の上面に流下した前記洗浄水が前記流入口及び／又は前記傾斜排出路に流入するように構成される小便器用薬液供給装置である。
【００１９】
本発明の第１１の形態は、第９又は第１０の形態において、前記取付部に洗浄水供給口が設けられ、前記洗浄水供給口からの前記洗浄水を流入させる位置に前記流入口が２つ以上設けられる小便器用薬液供給装置である。
【００２０】
本発明の第１２の形態は、第１〜第１１のいずれかの形態において、前記薬液流出口の周囲に前記薬液を前記小便器の壁面に導く導出板と導出壁が設けられ、前記導出板と前記導出壁の左右に接触板が前記小便器の壁面の方向に形成される小便器用薬液供給装置である。
【発明の効果】
【００２１】
本発明の第１の形態によれば、前記容器内に貯留される所定の貯留量を越えたとき前記薬液を溢出する排水口を前記容器背面に設け、前記排水口から溢出される前記薬液を前記容器背面の両側面側に傾斜流下させる傾斜排出路が設けられ、前記傾斜排出路を傾斜流下する前記薬液を前記傾斜排出路の終端及び／又は途中から前記壁面に流下させるから、前記薬液流出口から流出する薬液とオーバーフローした薬液とを別々に小便器の壁面に流下させ、薬液をより効率的に使用することができる。従来、前記排水口から溢出される前記薬液は、前記排水口が前記壁面から離れているため、十分に利用する又は前記薬液流出口から流出する薬液に流下し、前記薬液の濃度や流量を制御することが困難であった。本発明の第１の形態によれば、前記排水口から溢出される前記薬液を前記容器背面の両側面側に傾斜流下させる傾斜排出路が設けられるから、前記薬液流出口から流出する薬液に流下することがない。更に、前記傾斜排出路を傾斜流下する前記薬液を前記傾斜排出路の終端及び／又は途中から前記壁面に流下させるから、前記薬液流出口から流出する前記薬液とオーバーフローした前記薬液とを別々に前記小便器の壁面に流下させ、前記薬液をより効率的に使用することができる。
【００２２】
本発明の第２の形態によれば、前記傾斜排出路の路面は、前記排出口の位置から前記両側面側に直線状及び／又は湾曲状に傾斜して設けられるから、前記傾斜排出路を流下する薬液をより確実に流下させることができ、更に、流下する前記薬液の流速を調整することができる。例えば、前記傾斜排出路の上部を直線状に急速に傾斜させて前記両側面側に薬液を流下させ、前記排出口から流出する薬液を前記両側面側に送り、湾曲状に傾斜して徐々に流速を減少させ、前記両側面側の前記終端から緩慢な流速で壁面に流下させることもできる。
【００２３】
本発明の第３の形態によれば、前記傾斜排出路は、前記小便器の壁面側に前記傾斜排出路の路面に沿って排出壁が設けられるから、前記傾斜排出路の終端及び／又は途中まで前記排出口から流出する前記薬液を溢出させることなく流下させることができる。更に、前記壁面の高さにより、流下可能な流量が決定され、前記排出口からの流出量や流速等に応じて前記壁面の高さを自在に設計することができる。
【００２４】
本発明の第４の形態によれば、前記容器の内部には仕切板が設けられ、前記仕切板を介して複数の薬剤収容部が設けられるから、一方の薬剤収容部の薬剤が残り少なくなったとき、他方の薬剤収容部に新たな薬剤を収容させることができる。従って、前記薬剤の交換を定期的に行うことができ、常時、所定量以上の薬剤が前記薬剤収容部に収容される。
【００２５】
本発明の第５の形態によれば、前記薬剤収容部の左右外側に２つの内壁を設け、前記内壁と前記容器の側面外壁との間に側部室が形成され、前記側部室の壁面排出口を形成して前記傾斜排出路と連通させ、前記側部室に貯留した洗浄水を前記傾斜排出路に流出させるから、前記薬剤収容部には、好適な量の洗浄水のみを貯留させることができ、所望の濃度の薬液を前記薬剤流出口から流出させることができる。前記側部室は、前記内壁により前記薬液収容部から完全に遮蔽されており、前記側部室に流入した洗浄水が前記薬液収容部に流出することがなく、前記側部室の壁面排出口から前記傾斜排出路に流出させることができる。よって、前記薬剤流出口から流出させる薬液は、所望の濃度や流量を保持することができる。
【００２６】
本発明の第６の形態によれば、前記壁面排出口と対向する前記傾斜排出路の路面に側部排出口を開口し、前記側部室から前記壁面排出口を介して流出する洗浄水を前記側部排出口を通して流下させるから、前記側部室の洗浄水を円滑に排出することができる。前記側部室に貯留された洗浄水は、薬剤の成分を含んでおらず、前記薬剤流出口から流出させる薬液に混合することなく排出させることが好ましく、前記壁面排出口と対向するから、前記側部排出口から円滑に流下させることができる。
【００２７】
本発明の第７の形態によれば、前記容器を覆うカバーが前記小便器の開放側に設けられ、前記容器を前記小便器に設置したまま前記カバーが開閉自在に設けられるから、水洗時に洗浄水が小便器の開放側に跳ねることが無く、且つ、前記カバーを開放し、前記薬剤を補充又は交換することができる。前記カバーは、前記容器を覆うものであり、前記容器の機能を阻害することがなく、更に、水洗時に洗浄水が前記容器に当たり、小便器の開放側に跳ねることを防止することができる。
【００２８】
本発明の第８の形態によれば、前記容器の側面に弾性片が設けられ、前記弾性片のカバー側に傾斜面を有する係合突起が形成され、前記カバーの内面に前記係合突起に係合するカバー突部が形成され、前記カバーの閉鎖状態で前記カバー突部が前記係合突起に係合し、前記カバーの側面における前記弾性片上に嵌合孔が設けられ、前記嵌合孔に嵌合部材を押入して前記カバーの外側から前記弾性片を内方に押したとき、前記カバー突部と前記係合突起の係合が外れ、前記カバーの自重により前記カバーが開放状態となり前記容器の内部が露出するから、簡単に前記カバーを開放することができる。更に、前記カバーの閉鎖時には、前記傾斜面を前記カバー突起が押接し、前記弾性片を内方へ撓ませ、そのまま前記カバーを閉鎖時の位置まで押すと、前記カバー突起が前記傾斜面を押接しながら移動し、閉鎖状態では、前記カバー突部が前記係合突起に係合する。よって、前記カバーの開閉を簡単に行うことができる。
【００２９】
本発明の第９の形態によれば、前記薬液供給装置を前記小便器の取付部に取着する線材から形成される線状取付具を有し、前記線状取付具は、前記薬液供給装置を抱持する係合枠線部と、前記係合枠線部の上部係合線から連続して上方に突出する首線部と、前記首線部の上端に形成されたループ線部から構成され、前記ループ線部を前記小便器の前記取付部に取着するから、小便器を損傷させることなく薬液供給装置を安定に取付け、洗浄水の供給時に、洗浄水に薬剤を分散・溶解させ、長期間に亘って使用することができる。即ち、前記ループ線部を小便器の前記取付部に取着させるから、尖鋭な線状取付具の端部を小便器の壁面に接所させる必要がないため、小便器を損傷させることなく薬液供給装置を取付けることができる。また、前記係合枠線部により小便器用薬液供給装置を抱持するから、前記薬液供給装置が同じ位置に配設されるよう、安定して小便器用薬液供給装置が取付けられ、毎回、水洗時の洗浄水供給時に薬剤を分散・溶解させることができる。前記ループ線部や前記係合枠線部は、線材から形成され、吸盤や両面テープに比べ、形状や素材が殆ど劣化することが無く、小便器用薬液供給装置を長期間に亘って取付けることができる。前記線材は、ステンレス鋼、炭素鋼等の不錆材料からなることが望ましく、長期間に亘って形状や可撓性を保持することができる。前記ループ線部を小便器に設けられた孔に圧入したり、小便器に設けられた突起等に吊持させたりすることができ、前記ループ線部のループ径を自在に設計し、小便器に取着させることができる。
前記ループ線部は、洗浄水が供給する突出輪部に係合する輪状の線材や、複数の洗浄水供給口に無理嵌め状に圧入する複数のループ線部から形成することができる。
【００３０】
本発明の第１０の形態によれば、前記上部係合線が係合する前記容器の取付具配設部が前記容器背面に傾斜して設けられ、前記取付具配設部の上面に流下した前記洗浄水が前記流入口及び／又は前記傾斜排出路に流入するよう構成されるから、小便器の上方から供給される洗浄水をより効率的に利用することができる。
又、内部の薬剤に勢いの激しい洗浄水が直接接触することを防ぐような効果がある。前記流入口に流入した洗浄水は、前記薬液として壁面を流下し、前記傾斜排出路に流入した洗浄水は、前記両側面側に流下し、前記傾斜排出路の終端及び／又は途中から排出され、小便器の壁面を流下することができる。
【００３１】
本発明の第１１の形態によれば、前記取付部に洗浄水供給口が設けられ、前記洗浄水供給口からの前記洗浄水を流入させる位置に前記流入口が２つ以上設けられるから、前記洗浄水をより効率的に前記薬剤収容部に流入させることができる。前記取付部に洗浄水供給口が設けられるから、前記薬液供給装置が取付けられる共に、前記洗浄水を前記薬液供給装置に対して供給することができ、前記薬液供給装置の取付位置と前記洗浄水の供給位置が同一であるから、前記洗浄水が流入し易い位置に２つ以上の流入口を容易に設けることができる。
【００３２】
本発明の第１２の形態によれば、前記薬液流出口の周囲に前記薬液を前記小便器の壁面に導く導出板と導出壁が設けられ、前記導出板と前記導出壁の左右に接触板が前記小便器の壁面の方向に形成され、前記接触板の先端が前記壁面に近接するよう設けられるから、前記接触板上に流下する洗浄水は、より確実に前記小便器の壁面を流下することができる。
【図面の簡単な説明】
【００３３】
【図１】図１は、本発明に係る薬液供給装置が取付けられた小便器の概略図である。
【図２】図２は、本発明に係る薬液供給装置の取付部が設けられた小便器と前記取付部の内部に設けられた洗浄水供給部材の拡大概略図である。
【図３】図３は、本発明に係る薬液供給装置と洗浄水供給部材である。
【図４】図４は、本発明に係る薬液供給装置の背面及び側面概略図である。
【図５】図５は、本発明に係る薬液供給装置本体の側面概略図である。
【図６】図６は、本発明に係る薬液供給装置の側面概略図である。
【図７】図７は、本発明に係る薬液供給装置のカバー開閉時を説明する説明図である。
【図８】図８は、本発明に係る薬液供給装置本体の構成概略図である。
【図９】図９は、本発明に係る薬液供給装置本体の開閉部材を開放した状態の構成概略図である。
【図１０】図１０は、本発明に係る薬液供給装置本体から内部裏面壁を外した際の構成概略図である。
【図１１】図１１は、本発明に係る洗浄水供給部材の構成概略図である。
【図１２】図１２は、本発明に係る洗浄水供給部材の部分断面図である。
【図１３】図１３は、本発明に係る線状取付具の構成概略図である。
【図１４】図１４は、本発明に係る薬液供給装置が輪状取付具によって装着された小便器の概略図である。
【図１５】図１５は、本発明に係る小便器の円盤状突起の拡大概略図である。
【図１６】図１６は、本発明に係る薬液供給装置本体に輪状取付具を配設した構成概略図とこれにカバーを装着した側面概略図である。
【図１７】図１７は、図１６の薬液供給装置本体に輪状取付具を配設したとき装着するカバーの斜視概略図である。
【図１８】図１８は、本発明に係る輪状取付具の輪部を小便器の環状溝に取付けた概略図である。
【図１９】図１９は、本発明に係る輪状取付具の構成概略図である。
【図２０】図２０は、従来の小便器用薬剤供給装置の構成概略図である。
【発明を実施するための形態】
【００３４】
以下、図面を示して本発明に係る小便器用薬液供給装置（以下、単に「薬液供給装置」とも称する）に関する実施形態を詳細に説明する。尚、同一部材や同一機能の部材には、同一符号を付しており、以下において、一度説明した部材については、付加的な特別の機能等がない限り、説明を省略する。
図１は、本発明に係る薬液供給装置２が取付けられた小便器４の概略図である。図１において、薬液供給装置２が小便器４の取付部６に取付けられており、使用者が小便器４から離れたことをセンサ４ａで感知すると、洗浄水が小便器４の取付部６から供給される。この洗浄水には、前記薬液供給装置２において薬剤が溶解・分散して壁面８を流下する。薬剤を含む洗浄水により小便器４の壁面８が洗浄され、小便器４の底にある小便受部１０に、一時的に溜まることにより薬剤を含有する洗浄水の膜、たまり、層等が形成され、前記小便受部１０が洗浄される。前記薬液供給装置２は、線状取付具（図１には記載されていない）によって小便器４の取付部６に取付けられている。
【００３５】
図２は、本発明に係る薬液供給装置２の取付部６が設けられた小便器４と前記取付部６の内部に設けられた洗浄水供給部材１２の拡大概略図である。図２に示した小便器は４では、前記薬液供給装置２が取り外されており、小便器４の壁面８の上方には、前記薬液供給装置２の取付部６が設けられ、前記取付部６が下方に開口している。前記取付部６の内部には、一点破線の四角内に示した洗浄水供給部材１２が設けられている。図中の前記洗浄水供給部材１２は、洗浄水供給管１４、終端壁１８、ストッパ２０から構成され、洗浄水を供給流下させる取付供給口１６が左右に２箇所設けられている。後述するように、洗浄水供給管１４には、ストッパ２０を介して挿入管が連設されており、前記挿入管に供給されて流通した洗浄水が洗浄水供給管１４に供給され、前記取付供給口１６及び間隙２２から流下する。前記終端壁１８が小便器に接触し、洗浄水供給管１４を介して供給される洗浄水は、最終的に終端壁１８に衝突して間隙２２や取付供給口１６から流下し、一部が薬液供給装置２に供給される。この洗浄水は、一部が取付けられる薬液供給装置２に流入し、薬剤が溶解及び／又は分散して、更に壁面８を流下することにより、小便器４の内壁を洗浄する。
【００３６】
図３は、本発明に係る薬液供給装置２と洗浄水供給部材１２である。薬液供給装置２には、カバー２４が取付けられ、（３Ａ）に示すように、前記カバー２４の取付具口２６に線状取付具１の挿入部が配設されるよう構成されている。前記カバー２４の内部には、薬液供給装置本体が内蔵されており、この薬液供給装置本体は、薬剤を収容する容器から形成され、詳細は後述する。図３の（３Ａ）に示すように、前記取付具口２６は、線状取付具１を洗浄水供給部材１２の取付供給口１６に圧入できるよう形成されれば良く、この実施形態では、取付具口壁面２８が設けられている。前記洗浄水供給部材１２は、洗浄水供給管１４、ストッパ２０、挿挿入管３２及び挿入管上部３４からなり、前記洗浄水供給管１４、前記挿入管３２及び前記挿入管上部３４は連通し、挿入管上部３４に供給された洗浄水が取付供給口１６まで流下する。また、図３の（３Ａ）に示した実施形態の線状取付具１は、前記取付具口２６から突出しているが、前記洗浄水供給部材１２に取付けた際に、前記取付具口壁面２８に前記ストッパ２０に接触する程度に配設されることが好ましく、洗浄水を好適に薬液供給装置内に供給することができる。また、薬液供給装置の横ブレ防止や小便器との一体感が得られる。前記洗浄水供給部材１２の挿入管上部３４には、螺合部３２ａが設けられ、図２において、一点破線内に拡大概略図を示したように、前記挿入管３４が小便器の取付部内に螺合し、前記取付部内において、洗浄水供給管１４とストッパ２０が露出するよう構成されている。
【００３７】
図３の（３Ｂ）に示すように、薬液供給装置２が取付けられた際、流下してきた洗浄水の一部が、前記取付供給口１６や前記終端壁１８との間隙から薬液供給装置２に流入し、好適な量の薬剤を供給することができる。また、（３Ｂ）では、挿入部が洗浄水供給部材１２の取付供給管に圧入され、カバー２４が装着されると、前記洗浄水供給管１４が取付具口壁面２８に殆ど覆われ、小便器の使用者の方へ供給された洗浄水が跳ね返らないよう形成されている。
また、図３に示すように、カバー２４には、嵌合孔３０が設けられ、図示していないが、嵌合部材を嵌合することにより、カバー２４を開放することができ、後述する。
【００３８】
図４は、本発明に係る薬液供給装置２の背面及び側面概略図であり、（４Ａ）は背面概略図、（４Ｂ）は側面概略図を示している。（４Ａ）及び（４Ｂ）に示すように、前記線状取付具の挿入部３が挿入される取付供給口から供給される洗浄水は、背面外壁７０に設けられた左右２つの洗浄水流入口６２から薬液供給装置の内部に流入して貯留される。洗浄水の一部は、排出壁８０を有する傾斜排水路７８に流入して流下し、両側面側にある側部排水口８８及び／又は側部排出壁９０が設けられた前記傾斜排水路７８の終端から排出され、小便器の壁面を流下する。尚、前記側部排出口８８から排出された洗浄水や薬液は、接触板９７の上に流下する。前記接触板９７は、小便器の壁面に沿った形状に形成されるから、小便器の壁面をより効率的に流下し、洗浄効果を向上させることができる。
一部の洗浄水は、前記挿入部３に連設される係合枠線部が係合する取付具配設部５２の上に流下し、前記洗浄水流入口６２や前記傾斜排出路７８に流入する。また、前記挿入部３が突出する取付具突出溝５６から薬液供給装置の内部に流入して貯留される。しかしながら、前記洗浄水流入口６２に流入する洗浄水は、殆どが前記取付供給口から供給され、直接流入する洗浄水であり、薬液供給装置の内部に流入する洗浄水の殆どが前記洗浄水流入口６２から流入する。
薬液供給装置の内部に貯留される洗浄水の貯水量は決まっており、排出口６１の位置で決定される。その所定量を越えた場合、前記排出口６１から溢出し、前記傾斜排出路に流出する。薬液供給装置の内部から溢出する洗浄水には、薬剤がある程度、分散及び／又は溶解しており、薬液としての作用を有している。よって、前記排出口６１から前記傾斜排出路に溢出することにより、溢出した薬液は傾斜流下し、前述のように、前記側部排水口８８及び／又は前記傾斜排水路７８の終端から排出され、小便器の壁面を流下する。
前記薬液供給装置の内部に貯留される洗浄水は、比較的長時間、薬剤の周囲に貯留されており、より薬剤の溶解量及び／又は分散量の多い洗浄水であり、３つの薬液流出口９２から小便器の壁面へ流出する。中央の薬液流出口９２には、中央導出壁８２ａ及び中央導出板８４ａが設けられており、より確実に所望の濃度の薬液が小便器の壁面を流下するよう構成されている。２つの中央導出板８４ａの間は少し離間しており、一部の薬液がそのまま小便器の底に流下するよう形成されている。前述のように、前記排出口６１から溢出する薬液は、前記傾斜排出路７８に流出するから、中央導出板８４ａの上に流下することはなく、所定濃度の薬液を中央の薬液流出口９２から流出させ、流下させることができる。更に、両側面側の２つの薬液供給口にも導出壁８２と導出板８４が設けられており、より確実に薬液が小便器の壁面を流下するよう構成されている。
また、薬剤が収容される容器とは独立した側部室が薬液供給装置の両側面側に設けられており、前記側部室に流入した洗浄水は、薬剤の成分を含まず、壁面排出口から排出され、対向する側部排出口から殆どが流下する。前記側部室の詳細については、後述する。更に、（４Ｂ）に示すように、薬液供給装置の本体側面には、カバー２４の内壁にある嵌合凸部を嵌合するカバー嵌合孔７６が設けられ、前記カバーは開閉自在に取付けられている。
【００３９】
図５は、本発明に係る薬液供給装置本体７の側面概略図である。この側面は、図４の（４Ｂ）に示した側面の反対側を示している。図５において、薬液供給装置本体７の側面外壁１７には、弾性片５９が設けられ、この弾性片５９には傾斜面５９ｂを有する係合突起５９ａが形成されている。後述のように、係合突起５９ａには、前記カバーの内面に設けられたカバー突起が係合する。更に、カバーを所定位置に支持するカバー支持部７０ａ、挿入部３に連設される係合枠線部４１が係合する係合片５８が設けられている。また、カバーを支持し又は前記係合枠線部４１を外す際に前記係合枠線部４１が下方へ落下することを防止する支持板６１が設けられている。更に、カバー嵌合孔の周囲には、カバーの内壁にある前記嵌合凸部をガイドする部材が設けられている。
【００４０】
図６は、本発明に係る薬液供給装置の側面概略図である。図６は、図５に示した薬液供給装置本体７にカバー２７が取付けられている。前述のように、前記薬液供給装置本体の側面に弾性片５９が設けられ、前記弾性片５９のカバー側に傾斜面５９ｂを有する係合突起５９ａが形成され、カバー２４の閉鎖状態で前記カバー突部２４ｂが前記係合突起５９ａに係合する。更に、前記カバー２４の側面に上部嵌合孔３０ａが設けられ、この嵌合孔３０ａに嵌合部材（図示せず）を押入して外側から前記弾性片５９を内方に押すと、前記カバー突部２４ｂと前記係合突起５９ａの係合が外れる。このとき、前記カバー２４の自重により前記カバーが開放し、前記薬液供給装置本体７の内部が露出する。尚、下部嵌合口３０ｂにも一体形成された一方の嵌合部材が同時に挿入されるが、これは嵌合部材をより垂直に挿入するためのものであり、それ以外の作用はない。
更に、前記カバー２４の閉鎖時には、前記傾斜面５９ｂを前記カバー突起２４ｂが押接し、前記弾性片５９を内方へ撓ませ、前記カバー２４を閉鎖時の位置まで押すと、前記カバー突起２４ｂが前記傾斜面５９ｂを押接しながら移動し、完全な閉鎖状態では、前記カバー突部２４ｂが前記係合突起５９ａに係合する。
【００４１】
図７は、本発明に係る薬液供給装置のカバー開閉時を説明する説明図である。（７Ａ）は、カバー２４の閉鎖状態を示し、（７Ｂ）は、カバー２４の開放状態を示している。前記カバー２４の開閉機構については、図６の説明に記載したため、ここでは詳細な説明を省略する。（７Ｂ）に示すように、カバー２４の内面には、カバー突起２４ｂが設けられ、（７Ａ）の閉鎖状態において係合突起５９ａにカバー突起２４ｂが係合する。（７Ｂ）の開放状態では、薬液供給装置本体７の内部が露出され、容易に薬剤を補充又は交換することができる。薬剤供給装置本体７は、薬剤を収容する容器を有し、この容器内に洗浄水が充填され、薬剤が洗浄水に分散及び／又は溶解する。
【００４２】
図８は、本発明に係る薬液供給装置本体７の構成概略図である。（８Ａ）は、薬剤７４が配設されていない薬液供給装置本体７であり、（８Ｂ）は、薬剤７４を配設した薬液供給装置本体７である。（８Ａ）に示すように、薬液供給装置本体７の容器は、底面（図示していない）と両側の内壁７１、裏面壁７３及び開閉部材６４から形成されている。更に、仕切板６６が中央に設けられ、前記仕切板６６を挟んで左収容部７５と右収容部７７が設けられ、薬液供給装置本体７の容器が構成されている。裏面壁７３には、３つの流出口６８と４つの裏面支持部９１が設けられている。前記流出口からは、薬液が流出すると共に、洗浄水が流入してきた際には、前記流出口６８から洗浄水が流入する。前記裏面支持部９１は、裏面壁７３の強度を増加させると共に、薬剤が裏面壁７３に接触することを防止しており、薬剤が洗浄水に覆われるよう形成されている。
（８Ｂ）では、薬剤が右収容部７７に配設されている。開閉取手６４ａが開閉部材６４に形成され、この開閉部材６４は開閉自在に設けられている。よって、右収容部７７に配設された薬剤が消耗し、残り少なくなった際には、前記開閉部材６４を開放し、容易に左収容部に薬剤を補充することができる。
また、（８Ｂ）に示すように、線状取付具１の係合枠線部は、下部係合線３６、接続線４０及び左右の上部係合線４２から形成されている。下部係合線３６が係合片５８に係合し、左右の前記上部係合線４２が取付具配設部５２に係合し、薬剤供給装置本体７を線状取付具１によって、前記取付部に取付けることができる。また、前記取付具配設部５２は、蓋部５４と一体形成され、更に、前記蓋部５２に裏面壁７３が取付けられている。
【００４３】
図９は、本発明に係る薬液供給装置本体７の開閉部材６４を開放した状態の構成概略図である。図９では開閉部材６４が開放され、（９Ａ）では薬剤７４が配設されておらず、（９Ｂ）では、薬剤７４が配設されている。（９Ａ）に示すように、内壁７１と側面外壁１７の間には２つの空間があり、これらを側部室と称している。前記側部室と前記左右収容部７５、７７からなる容器とは、遮断されており、洗浄水の流通はない。前記側部室に流入した洗浄水を排出する壁面排出口８７が設けられている。図９の前記壁面排出口８７から流出する洗浄水は、図４に示した前記傾斜排出路７８の側部排出口８８から排出されるよう前記壁面排出口８７が位置している。よって、前記側部室の洗浄水が内壁７１を越えて溢出することは殆ど無く、図４に示した前記傾斜排出路７８の側部排出口８８から排出される。また、（９Ａ）に示すように、前記容器の底面には細長い凸部７２が形成されており、薬剤が底面に接触せず、洗浄水に浸るよう設けられている。（９Ｂ）では、薬剤が配設されており、各内壁７１の内面には薬剤支持板７１ａが形成され、前記凸部７２と同様に、前記内壁７１の内面に薬剤が接触せず、洗浄水に浸るよう前記薬剤支持板７１ａが設けられている。（９Ｂ）に示すように、開閉部材６４を開放すれば、容易に薬剤を補充又は交換することができる。
【００４４】
図１０は、本発明に係る薬剤供給装置本体７から内部裏面壁１５を外した際の構成概略図である。図９の（９Ａ）に示した薬剤供給装置本体７から（１０Ａ）に示した内部裏面壁１５を外すと、薬剤供給装置本体７は（１０Ｂ）に示した構造を有している。（１０Ａ）に示した内部裏面壁１５は、前述のように、取付具配設部５２と蓋部５４と一体形成され、前記蓋部５２に裏面壁７３が取付けられている。前記裏面壁７３には、嵌込部９５が両側に設けられ、（１０Ｂ）の内壁に形成された嵌込溝９４に前記嵌込部９５が嵌め込まれ、前記裏面壁７３と共に内部裏面壁１５の全体が薬剤供給装置本体７に取付けられる。
（１０Ｂ）に示すように、薬剤供給装置本体７は最裏面９３を有し、この最裏面９３は、図４に示した背面外壁７０の内面である。よって、最裏面９３には、排出口６１や３つの薬液流出口９２が形成されている。更に、（１０Ａ）、（１０Ｃ）に示すように、裏面壁７３には抑制板７３ａが設けられ、前記洗浄水流入口６２から流入する洗浄水の流量及び水勢を抑制することができる。また、（１０Ｃ）に示すように、内部裏面壁１５には裏面係合部９６が設けられ、内壁７１に係合し、より安定に前記内部裏面壁１５が取付けられる。
【００４５】
図１１は、本発明に係る洗浄水供給部材１２の構成概略図である。（１１Ａ）は、図３に示した洗浄水供給部材１２の側面図であり、同機能を有することから説明を省略する。（１１Ｂ）は、洗浄水供給部材１２を下方から見た下面図であり、取付供給口１６が２つ対称に設けられており、前述のように、線状取付具の挿入部が無理嵌め状に圧入される。図面には示していないが、本発明者らはＸ線画像を観察し、前記挿入部が前記取付供給口１６に圧入された状態を観察しており、後述の部分断面図に基づいて概略を説明する。
【００４６】
図１２は、本発明に係る洗浄水供給部材の部分断面図である。（１２Ａ）は、挿入部が圧入されていない洗浄水供給部材の部分断面図であり、（１２Ｂ）は、挿入部が圧入された洗浄水供給部材の部分断面図であり、前記洗浄水供給管１４の供給管断面１４ａ及び供給管内面１４ｂが示されている。挿入押接部４６の上部と挿入接続部５０は、逆Ｖ字状の挿入線部を形成し、挿入押接部４６の下部と押接部４８がＶ字状の押接線部を形成している。逆Ｖ字にある前記挿入接続部５０と前記挿入押接部４６の上部との屈曲部が挿入部先端３ａとなって、前記取付供給口１６に無理嵌め状に圧入される。前記挿入接続部５０と前記挿入押接部４６は、無理嵌め状に圧入されるとき、バネ状に挿入部先端３ａが更に屈曲し、前記取付供給口１６に圧入される。前記取付供給口１６に前記挿入部が挿入されると、バネ状に挿入部先端３ａの屈曲が僅かに開放され、前記押接部４８と前記挿入押接部４６の下部が供給管内面１４ｂに押接する。従って、挿入部のループ径Ｌは、前記取付供給口１６の口径より大きく設定されている。ここで、前記ループ径Ｌは、前記押接部４８と前記挿入接続部５０の屈曲部から前記挿入押接部４６への垂線の長さとすれば良く、前記挿入部の最大幅に相当する。
【００４７】
図１３は、本発明に係る線状取付具の構成概略図である。（１３Ａ）に示した実施形態の線状取付具１は、挿入部３、係合枠線部４１及び首線部４３から構成され、前記ループ線部は、三角状ループからなる左右２個の挿入部３である。各挿入部３が左右の各首線部４３により係合枠線部４１に連設されている。挿入部先端３ａから挿入部３が、図１２に示したように、前記取付供給口に圧入される。前記各首線部４３には、角度調整線４４が屈曲して設けられ、この角度調整線４４により前記係合枠線部４１に対する挿入部３の角度が調整され、前記係合枠線部４１により抱持すると共に、好適な角度で挿入部３が前記取付供給口に圧入される。前記係合枠線部４１は、一本の連続線からなる下部係合線３６と左右の接続線４０によって接続された各上部係合線４２から形成され、前記各首線部４３は、前記各上部係合線４２を介して係合枠線部４１に連設されている。
（１３Ｂ）では、前記接続部４０や前記首線部４３の始端部が傾斜し、前記挿入押接部４６が垂直になるよう記載されている。即ち、前記係合枠線部を略含む平面の水平面に対する角度は、前記係合枠線部により前記薬液供給装置を抱持し、小便器に取付けられた状態であるとき、前記角度調整線４４により前記挿入部先端３ａが上方を向くように調整されている。
【００４８】
図１４は、本発明に係る薬液供給装置が輪状取付具によって装着された小便器の概略図である。図１４においても、図１と同様に、薬液供給装置２が小便器４に取付けられており、使用者が小便器４から離れたことをセンサ４ａで感知すると、洗浄水が小便器４の上部から供給され、薬液供給装置２により洗浄水に薬剤が溶解・分散して壁面８を流下する。従って、薬液を含む洗浄水により小便器４の壁面８が洗浄され、更に小便受部１０に洗浄水が一時的に溜まることにより、前記小便受部１０が洗浄される。
【００４９】
図１５は、本発明に係る小便器の円盤状突起９の拡大概略図である。図１５に示した小便器は４では、薬液供給装置２が取り外されており、小便器４の壁面８には、取付部として円盤状突起９が設けられている。前記円盤状突起９は、一点破線の四角内に拡大概略図を示しており、前記円盤状突起９には環状溝９ａが設けられ、環状溝９ａに輪状のループ線部（以下、「輪部」とも称される）が掛合される。
【００５０】
図１６は、本発明に係る薬液供給装置本体７に輪状取付具５を配設した構成概略図とカバー２４を装着した側面概略図である。（１６Ａ）の薬液供給装置本体７は、図８、９の薬液供給装置本体７と同一の構造を有し、詳細な説明は省略する。図１６の輪状取付具５は、輪部１１を突出させて前記薬液供給装置本体７に配設される。各上部係合線４２は、取付部配設部５２に係合し、下部係合線３６は下部係合部が係合突起５８に係合する。よって、係合枠線部４１が薬液供給装置本体７を抱持して安定に係合し、前記輪部１１を図１５の環状溝に掛合し、小便器の壁面に薬液供給装置本体７を安定に取付けることができる。
（１６Ｂ）に示すように、（１６Ａ）に示した薬液供給装置本体７にカバー上部２４ａを有するカバー２４を装着すれば、輪状取付具５と薬液供給装置本体７の小便器の開放側を全て覆うことができ、洗浄水が開放側に跳ね、使用者や小便器の周辺を濡らすことを防止することができる。（１６Ｂ）のカバー２４の開閉機構は、図６、７に示した開閉機構と同一であり、説明を省略する。
【００５１】
図１７には、図１６に示した薬液供給装置本体７に輪状取付具５を配設したときに装着するカバー２４の斜視概略図を示している。図３等に示したカバーと同様に、嵌合孔３０が設けられ、同一の開閉機構によりカバー２４を開閉することができる。輪状取付具５を覆うため、前述のように、カバー上部２４ａが設けられている。
【００５２】
図１８は、本発明に係る輪状取付具の輪部１１を小便器の環状溝９ａに取付けた概略図である。（１８Ａ）では、洗浄水供給口９ｂが環状溝９ａに形成され、（１８Ｂ）では、洗浄水供給口９ｂが円盤状突起９に形成されている。前述のように、輪状取付具に対する取付部は、環状溝９ａを有する円盤状突起９であり、輪部１１が環状溝９ａに掛合され、上部係合線４２や接合線４０を有する前記係合枠線部に抱持された薬液供給装置を吊持する。角度調整線４４が設けられることにより、前記輪部１１が壁面８に対して略平行となり、前記輪部１１が前記環状溝９ａに安定に掛合される。よって、水平面に対し接続線４０が傾斜する係合枠線部が薬液供給装置を抱持して安定に係合すれば、前記薬液供給装置が環状溝９ａを有する円盤状突起９に安定に吊持される。
（１８Ａ）のように、洗浄水が環状溝９ａに設けられた洗浄水供給口９ｂから供給されるか、または、（１８Ｂ）のように、円盤状突起９に設けられた洗浄水供給口９ｂから供給されることにより、より効率的に洗浄水を前記薬液供給装置の内部に供給することができる。
【００５３】
図１９は、本発明に係る輪状取付具５の構成概略図である。（１９Ａ）は、輪部１１が設けられた輪状取付具５の係合枠線部４１を水平に置き、上方から視たものであり、円形の輪部１１が楕円状に見えている。前述のように、首線部４３の角度調整線４４を介して輪部１１が連設して形成され、前記係合枠線部４１の構造は図１３の（１３Ａ）と同一である。（１９Ａ）に示した輪状取付具５は、係合枠線部４１の下部係合線３６が一本の連続線からなり、左右の接続線４０によって各上部係合線４２に連設され、係合枠線部４１が形成されている。下部係合線３６は分離されていても良く、図１６の（１６Ａ）に示した係合片５８に係合できれば良い。（１９Ｂ）では、前記接続部４０や前記首線部４３の始端部が水平面に対して傾斜し、前記輪部１１が垂直になるよう調整されている。即ち、（１９Ｂ）の状態が前記薬液供給装置を抱持し、小便器に取付けられた状態であるとき、前記角度調整線４４により前記輪部１１が上方を向くように調整されている。
【００５４】
尚、本発明は上記実施形態に限定されるものではなく、本発明の技術的思想を逸脱しない範囲における種々変形例、設計変更などをその技術的範囲内に包含するものであることは云うまでもない。
【産業上の利用可能性】
【００５５】
本発明によれば、洗浄水を流入口から取り込み、薬剤を分散及び／又は溶解させ、小便器用薬剤供給装置の薬液流出口から流出する薬液とオーバーフローした薬液とを別々に小便器の壁面に流下させ、薬液をより効率的に使用することが可能な小便器用薬剤供給装置を提供することができる。更に、水洗時に洗浄水が小便器の開放側に跳ねることが無く、洗浄水を流入口から取り込み、薬剤を分散及び／又は溶解させて薬液を生成する小便器用薬剤供給装置を提供することができる。
【符号の説明】
【００５６】
１        線状取付具
２        薬液供給装置
２ａ      薬用供給部
３        挿入部
３ａ      挿入部先端
４        小便器
４ａ      センサ
５        輪状取付具
６        取付部
７        薬液供給装置本体
８        壁面
９        円盤状突起
９ａ      環状溝
９ｂ      洗浄水供給口
１０      小便受部
１１      輪部
１２      洗浄水供給部材
１４      洗浄水供給管
１４ａ    供給管断面
１４ｂ    供給管内面
１５      内部裏面壁
１６      取付供給口
１７      側面外壁
１８      終端壁
１８ａ    終端押接部
２０      ストッパ
２２      間隙
２４      カバー
２４ａ    カバー上部
２４ｂ    カバー突部
２６      取付具口
２８      取付具口壁面
３０      嵌合孔
３０ａ    上部嵌合孔
３０ｂ    下部嵌合孔
３２      挿入管
３２ａ    螺合部
３４      挿入管上部
３６      下部係合線
３９      下部係合突線
４０      接続線
４１      係合枠線部
４２      上部係合線
４３      首線部
４３ａ    係合枠連設線
４４      角度調整線
４６      挿入押接部
４８      押接部
５０      挿入接続部
５１ａ    嵌合部材
５２      取付具配設部
５４      蓋部
５６      取付具突出溝
５８      係合片
５９      弾性片
５９ａ    係合突起
５９ｂ    傾斜面
６０      支持板
６１      主排出口
６２      洗浄水流入口
６２ａ    導入板
６４      開閉部材
６４ａ    開閉取手
６５      内部裏面支持板
６６      仕切板
６８      流出口
７０      背面外壁
７０ａ    カバー支持板
７１      内壁
７１ａ    薬剤支持板
７２      凸部
７３      裏面壁
７３ａ    抑制板
７４      薬剤
７５      左収容部
７６      カバー嵌合孔
７７      右収容部
７８      傾斜排出路
７９      排出口
８０      排出壁
８２      導出壁
８２ａ    中央導出壁
８４      導出板
８４ａ    中央導出板
８７      壁面排出口
８８      側部排出口
９０      側部排出壁
９１      裏面支持部
９２      薬液流出口
９３      最裏面
９４      嵌込溝
９５      嵌込部
９６      裏面係合部
９７      接触板
１０１    薬液供給装置
１０２    容器本体
１０４    取水支持部
１０７    排水支持部
１２２    吸盤
１２３    取水口
１２４    排水口
１７１    案内部
【図１】
0005877692.tif 000002
【図２】
0005877692.tif 000003
【図３】
0005877692.tif 000004
【図４】
0005877692.tif 000005
【図５】
0005877692.tif 000006
【図６】
0005877692.tif 000007
【図７】
0005877692.tif 000008
【図８】
0005877692.tif 000009
【図９】
0005877692.tif 000010
【図１０】
0005877692.tif 000011
【図１１】
0005877692.tif 000012
【図１２】
0005877692.tif 000013
【図１３】
0005877692.tif 000014
【図１４】
0005877692.tif 000015
【図１５】
0005877692.tif 000016
【図１６】
0005877692.tif 000017
【図１７】
0005877692.tif 000018
【図１８】
0005877692.tif 000019
【図１９】
0005877692.tif 000020
【図２０】
0005877692.tif 000021